(57)【要約】【課題】  商品展示ステージそのものが電子ＰＯＰや商品演出の機能を果たすことにより、アイキャッチ効果を高め、商品や店舗に関する情報を消費者に伝達するとともに、店舗装飾や展示装飾の美しさを阻害することなく、コストも低く抑えることが可能な商品展示ステージを提供する。【解決手段】商品を展示・陳列する展示ステージに画像ディスプレイ装置組み込み、画面にて表示する色を変化・発光させることによりアイキャッチ効果を高める。また、商品や店舗に関する情報などを静止画・スライドショー・動画・音声などにより表示・説明することにより、展示ステージそのものが電子ＰＯＰや商品演出の機能を果たす。これにより、店舗や展示会にて多くのＰＯＰ広告は不要となり、コストの削減が図れると同時に、より美しく制約の少ない店舗装飾や展示装飾が可能となる利点がある。【選択図】図１
0003165369.tif 000002
【実用新案登録請求の範囲】
【請求項１】
商品を展示・陳列する展示ステージに画像ディスプレイ装置を組み込み一体化し、商品や店舗に関する情報を画像ディスプレイ装置にて静止画・スライドショー・動画・音声で表示・説明をすることにより、電子ＰＯＰの機能を有することを特徴とする電子ＰＯＰ展示ステージ。
【請求項２】
画像ディスプレイ表示画面に表示する色を変化・発光させることによりアイキャッチ効果を高め、離れた位置の顧客に対してもアピールすることを特徴とする電子ＰＯＰ展示ステージ。
【請求項３】
展示・陳列する商品を、透明または半透明の画面保護パネルに覆われた画像ディスプレイ装置の画像表示面に置くことにより、画像ディスプレイ装置と展示ステージをそれぞれ単体で設置する場合に比べ設置スペースが少なく済み、店舗装飾や展示装飾の自由度が増すことを特徴とする電子ＰＯＰ展示ステージ。
【請求項４】
前述画像ディスプレイ装置には、情報データを記憶する記憶装置と、音声により商品を説明する音声出力装置が設けられていることを特徴とする、請求項１、２または３に記載の電子ＰＯＰ展示ステージ。
【考案の詳細な説明】
【技術分野】
【０００１】  本考案は、店舗、展示会等において商品を展示・陳列する際に用いる商品展示ステージに関するものである。
【背景技術】
【０００２】  店舗や展示会等において、特に宝飾・時計・アクセサリー・眼鏡・雑貨等の小物類はガラスケースの中などに商品を展示・陳列するが、その際、１００ミリ角から４００ミリ角程度の展示ステージの上に商品を展示・陳列する。その展示ステージは布貼りの板・木製・アクリル製などで作られた板であり、その素材や色・形で展示装飾の差別化を図っている。【０００３】また、商品や店舗の情報などを表示する場合、別途に画像ディスプレイ装置やＰＯＰ広告を商品の隣や商品陳列台に併設、または店舗の壁面・カウンターの上などで表示されるのが一般的である。
【先行技術文献】
【特許文献】
【０００４】
【特許文献１】実用新案登録第３０８６２５１号公報
【考案の概要】
【考案が解決しようとする課題】
【０００５】  宝飾・時計・アクセサリー・眼鏡・雑貨等の小物類の商品を展示する場合に、展示ステージがもっとも多く使用されるが、展示する商品そのものが小さい為、展示中の商品が何であるかを離れた位置から確認できず、集客能力に欠けるという問題があった。【０００６】  従来の商品展示においては、ブランド名・コンセプト・新商品情報・セール等の情報はＰＯＰ広告などで個々に表示する必要があり、多くのＰＯＰ広告によって商品展示や店舗装飾の美しさを損なうものである。【０００７】  展示商品の入替えや季節ごとの店舗装飾の変更の度にＰＯＰ広告を作り変える必要があり、手間や費用がかかる。【０００８】また従来は、店舗や展示会において商品情報等を伝達する為に画像ディスプレイ装置を設置する場合、壁掛け・自立式スタンド・カウンター上・展示台に併設など、画像ディスプレイ装置と展示台をそれぞれ単体で使用する為、設置スペースを余計にとると共に、店舗装飾や展示装飾の自由度を阻害するものである。【０００９】そこで、本考案は、商品展示等に用いられる展示ステージにおいて、離れた位置の顧客に対してアイキャッチ効果を高めることにより集客し、商品や店舗に関する情報を顧客に伝達するとともに、展示装飾や店舗装飾の美しさを損なわず、コストも低く抑えることが可能な展示ステージを提供することを課題としている。
【課題を解決するための手段】
【００１０】本考案は、展示ステージに画像ディスプレイ装置を組み込み一体化し、その画像表示面に商品を展示する。そして、画像表示面の色を変化・発光させることによりアイキャッチ効果を高め、且つ、商品や店舗に関する情報も画像表示することにより、電子ＰＯＰや商品演出の機能を有することを特徴とする。また、必要に応じて表示する情報のデータを入れ替えることを可能とすることで上述の課題を解決しようとするものである。
【考案の効果】
【００１１】本考案の電子ＰＯＰ展示ステージは、展示ステージに商品を展示することは勿論、展示ステージ本体に画像ディスプレイ装置を設けたので、電子ＰＯＰの機能や商品演出の機能を果たすことができ、従来にない商品展示をするものである。【００１２】特に、宝飾・時計・アクセサリー・眼鏡・雑貨等の小さな商品においては、展示中の商品が何であるかを離れた位置からは確認できない為、展示商品が確認できる位置まで顧客を誘導する必要がある。そこで、画像表示面の色を変化・発光させることによりアイキャッチ効果を高め、離れた位置の顧客に対してもアピールすることで、集客効果につながる。【００１３】画像ディスプレイ装置の画面にて、展示する商品に関する情報（価格、ブランド、特徴、コンセプト）などを、静止画・スライドショー・動画などで表示することにより、様々な情報内容を１台の展示ステージで演出できる。従来においては、それらの情報はＰＯＰ広告等で個々に表示する必要があり、多くのＰＯＰ広告によって商品の展示装飾や店舗装飾の美しさを損なうものであったが、そうした情報は全て本考案にて演出できる事となり、より美しい展示装飾や店舗装飾ができる。【００１４】画像ディスプレイ装置に表示するデータを入れ換えることにより、展示商品の入れ替えや、季節ごとの店舗装飾の変更のたびにＰＯＰ広告を作り変える必要も無く、手間と費用の削減ができる。【００１５】画像ディスプレイ装置を展示ステージと一体化し、その画像表示面に商品を展示することで、店舗や展示会において画像ディスプレイ装置と展示ステージをそれぞれ単体で設置する場合に比べ設置スペースが少なく済み、店舗装飾や展示装飾の自由度が増すものである。【００１６】特に、宝飾・時計・アクセサリー・眼鏡・雑貨等の小物類の商品展示にとっては、プライスタグが美しさを阻害することが多かったが、本考案のディスプレイ画面に文字情報として表示させることにより、美しさを阻害すること無く必要な商品情報を消費者に伝達することができる。
【図面の簡単な説明】
【００１７】
【図１】本考案の実施例を示す斜視図である。
【考案を実施するための形態】
【００１８】画像ディスプレイ装置と一体化された展示ステージの、画像表示面に商品を展示する。そして、画像ディスプレイ装置にて画像表示面の色を変化・発光させることによりアイキャッチ効果を高める。また、展示する商品や店舗に関する情報（価格、ブランド、特徴、コンセプト・セールの告知など）を、静止画・スライドショー・動画などで表示する。これにより、店舗や展示会にて集客効果が期待でき、また多くのＰＯＰ広告は不要となりコストの削減が図れると同時に、より美しく制約の少ない店舗装飾や展示装飾が可能となる利点がある。
【実施例】
【００１９】以下、添付図面に従って実施例を説明する。図１は、本考案の実施例の斜視図である。【００２０】実施例の図１は、本考案の電子ＰＯＰ展示ステージに指輪を展示した場合である。電子ＰＯＰ展示ステージ本体１を水平に設置して、商品展示ツール２及び展示商品（指輪）３を、商品展示面及び画面保護パネル４にて覆われた画像ディスプレイ表示画面５の上に置く。そして、画像ディスプレイ装置内蔵基台６に設けた外部入力端子７に、メモリーカードなどの外部記録媒体や、ＵＳＢケーブル等でパソコンなどの外部機器と接続し、リモコンや操作ボタン８、または接続している外部機器にて操作をし、表示をしたい情報データを選択・決定・読み込みを行なう。【００２１】商品を置く場所である商品展示面及び画面保護パネル４は、透明・半透明・縁つき・縁なし等の任意のデザインにて製作することにより、展示装飾としての役割も果たす。【００２２】そして、画像ディスプレイ表示画面５に表示する色を変化・発光させることによりアイキャッチ効果を高め、離れた位置の顧客に対してもアピールすることで、集客効果につながる。【００２３】また、画像ディスプレイ表示画面５に、展示する商品に関する情報（価格、ブランド、特徴、コンセプト）などを、静止画・スライドショー・動画などで表示したり、店舗に関する情報（セールの告知など）を表示することにより消費者への訴求効果を高めることができる。【００２４】応用として、電子ＰＯＰ展示ステージ本体１を垂直に設置し、商品展示面及び画面保護パネル４に商品展示の為の棚を予め備え付けることにより、商品展示棚としても使用できる。
【符号の説明】
【００２５】１  電子ＰＯＰ展示ステージ本体
２  商品展示ツール
３  展示商品（指輪）
４  商品展示面及び画面保護パネル
５  画像ディスプレイ表示画面
６  画像ディスプレイ装置内蔵基台
７  外部入力端子
８  操作ボタン
【図１】
0003165369.tif 000003
【手続補正書】
【提出日】平成22年10月19日(2010.10.19)
【手続補正１】
【補正対象書類名】実用新案登録請求の範囲
【補正対象項目名】請求項２
【補正方法】変更
【補正の内容】
【請求項２】
画像ディスプレイ表示画面に表示する色を変化・発光させることによりアイキャッチ効果を高め、離れた位置の顧客に対してもアピールすることを特徴とする請求項１記載の電子ＰＯＰ展示ステージ。
【手続補正２】
【補正対象書類名】実用新案登録請求の範囲
【補正対象項目名】請求項３
【補正方法】変更
【補正の内容】
【請求項３】
展示・陳列する商品を、透明または半透明の画面保護パネルに覆われた画像ディスプレイ装置の画像表示面に置くことにより、画像ディスプレイ装置と展示ステージをそれぞれ単体で設置する場合に比べ設置スペースが少なく済み、店舗装飾や展示装飾の自由度が増すことを特徴とする請求項１または２に記載の電子ＰＯＰ展示ステージ。